(57)【要約】【課題】梱包材料費及び配送コストを削減できると共に、配送作業を簡素化できるフロントキャビネット及び表示装置を提供する。【解決手段】第２板部１０ｂに設けられた切込部１２が開放され、第１板部１０ａに設けられた伸縮部１１が伸張されることにより、フロントキャビネット１０がＵ字状に折り畳まれる。第１板部１０ａ及び第２板部１０ｂの４角にそれぞれ設けられた伸縮部１３ａ，１３ｂが伸張されることにより、Ｕ字状のフロントキャビネット１０が直線状に変形される。【選択図】図１
2013198004.tif 000002
【特許請求の範囲】
【請求項１】
矩形状の表示パネルの周縁を囲う枠状のフロントキャビネットにおいて、
対向する２つの直線部分のそれぞれの略中央部に、前記表示パネルの表示面側に折り曲げ可能な折曲部を備えることを特徴とするフロントキャビネット。
【請求項２】
前記表示パネルの表示面の周縁を覆う第１板部と、
前記表示面に連なる面を覆う第２板部とを有し、
前記折曲部は、
前記第１板部に、該第１板部の長手方向に伸縮可能に設けられた伸縮部と、
前記第２板部に、該第２板部の短手方向に設けられた切込部とを有する
ことを特徴とする請求項１に記載のフロントキャビネット。
【請求項３】
４つの角部は伸縮部を有することを特徴とする請求項１又は２に記載のフロントキャビネット。
【請求項４】
前記第１板部の４つの角部は内周縁から外周縁に亘って設けられた切込部を有し、
前記第２板部の４つの角部は伸縮部を有することを特徴とする請求項２に記載のフロントキャビネット。
【請求項５】
前記伸縮部は、他の箇所よりも軟質の材料で形成されていることを特徴とする請求項２から４までのいずれかひとつに記載のフロントキャビネット。
【請求項６】
前記折曲部は、対向する１組の直線部分に設けられていることを特徴とする請求項１から５までのいずれかひとつに記載のフロントキャビネット。
【請求項７】
請求項１から６までのいずれかひとつに記載のフロントキャビネットと、
該フロントキャビネットが装着された表示パネルとを備える表示装置。 
【発明の詳細な説明】
【技術分野】
【０００１】
本発明は、表示パネルの周縁に装着されるフロントキャビネット、フロントキャビネットが装着された表示装置に関する。
【背景技術】
【０００２】
近年、液晶表示装置の大型化に伴って液晶表示装置の梱包体積の大型化も進んでいる。梱包体積を小さくすることは、梱包材料費や配送コストの削減につながるので、液晶表示装置の大型化が進むにつれて、様々な手法で梱包形態が改善され、コンパクト化されている。例えば、特許文献１には、液晶表示装置を支持するスタンドを、液晶表示装置の筐体から取り外して梱包することにより、梱包サイズを小型化する薄型表示装置が提案されている。特許文献１に開示された技術では、リアキャビネットに、液晶表示装置のスタンドの一部を挿入できる凹部空間を設け、スタンドを効率良く収納できるようにすることにより、液晶表示装置の梱包サイズの減少が可能である。
【先行技術文献】
【特許文献】
【０００３】
【特許文献１】特開２００９−１７１５１９号公報
【発明の概要】
【発明が解決しようとする課題】
【０００４】
ところで、液晶表示装置の大型化に伴って、液晶パネルを覆うキャビネット（フロントキャビネット及びリアキャビネット）の大型化も進んでいる。キャビネットは、液晶表示装置（液晶パネル）の大型化の影響をそのまま受ける形状であり、キャビネットの外形形状がそのまま梱包体積となる。キャビネットは、液晶表示装置の本体と比べて重量が軽いわりに梱包体積が大きいので、複数を重ねて梱包して出荷されることが多い。しかしながら、フロントキャビネットは、中央部分（液晶パネルが嵌め込まれる部分）が空洞（開口部）であるので、単に複数のフロントキャビネットを重ねて梱包する形態では、効率よく梱包できない。
特許文献１に開示された技術でも、液晶表示装置全体の梱包サイズの減少は可能であるが、キャビネット（フロントキャビネット）自体の梱包サイズを小型化することはできない。従って、フロントキャビネットの梱包材料費や配送コストを削減することは難しいという問題がある。
【０００５】
本発明は斯かる事情に鑑みてなされたものであり、その目的とするところは、梱包体積を減少させることによって、梱包材料費や配送コストを削減することが可能なフロントキャビネット及び表示装置を提供することにある。
【課題を解決するための手段】
【０００６】
本発明に係るフロントキャビネットは、矩形状の表示パネルの周縁を囲う枠状のフロントキャビネットにおいて、対向する２つの直線部分のそれぞれの略中央部に、前記表示パネルの表示面側に折り曲げ可能な折曲部を備えることを特徴とする。
【０００７】
本発明によれば、矩形状の表示パネルの周縁を囲うフロントキャビネットが、対向する２つの直線部分のそれぞれの略中央部に設けられた折曲部にて、表示パネルの表示面側に折り曲げ可能である。よって、折曲部にてフロントキャビネットを折り曲げることにより、枠状のフロントキャビネットをＵ字状に変形させることができ、フロントキャビネットのサイズを減少させることができる。
【０００８】
本発明に係るフロントキャビネットは、前記表示パネルの表示面の周縁を覆う第１板部と、前記表示面に連なる面を覆う第２板部とを有し、前記折曲部は、前記第１板部に、該第１板部の長手方向に伸縮可能に設けられた伸縮部と、前記第２板部に、該第２板部の短手方向に設けられた切込部とを有することを特徴とする。
【０００９】
本発明によれば、フロントキャビネットは、表示パネルの表示面の周縁を覆う第１板部と、表示面に連なる面を覆う第２板部とを有する。そして、フロントキャビネットの対向する２つの直線部分の略中央部において、第１板部には、第１板部の長手方向に伸縮可能な伸縮部が設けられ、第２板部には、第２板部の短手方向に切込部が設けられている。よって、切込部が開放されて伸縮部が伸張されることにより、フロントキャビネットを容易に折り曲げることができる。
【００１０】
本発明に係るフロントキャビネットは、４つの角部は伸縮部を有することを特徴とする。
【００１１】
本発明によれば、フロントキャビネットの４角に伸縮部が設けられている。折曲部にて半分に折り曲げられてＵ字状となったフロントキャビネットにおいて、４角の伸縮部を伸張させることにより、直線状に変形することができ、フロントキャビネットの体積（梱包体積）を減少させることができる。
【００１２】
本発明に係るフロントキャビネットは、前記第１板部の４つの角部は内周縁から外周縁に亘って設けられた切込部を有し、前記第２板部の４つの角部は伸縮部を有することを特徴とする。
【００１３】
本発明によれば、第１板部の４角に切込部が設けられ、第２板部の４角に伸縮部が設けられている。折曲部にて半分に折り曲げられてＵ字状となったフロントキャビネットにおいて、第１板部の４角の切込部を開放させ、第２板部の４角の伸縮部を伸張させることにより、直線状に変形することができる。よって、フロントキャビネットの梱包体積を減少させることができる。
【００１４】
本発明に係るフロントキャビネットは、前記伸縮部は、他の箇所よりも軟質の材料で形成されていることを特徴とする。
【００１５】
本発明によれば、伸縮部が、他の箇所よりも軟質の材料で形成されていることにより、伸縮部の伸縮がより簡単に可能となる。よって、フロントキャビネットをより簡単に折り畳むことができると共に、折り畳まれたフロントキャビネットをより簡単に元の形状に戻すことができる。
【００１６】
本発明に係るフロントキャビネットは、前記折曲部は、対向する１組の直線部分に設けられていることを特徴とする。
本発明によれば、フロントキャビネットの対向する１組の直線部分の略中央部に折曲部が設けられていることにより、対向する１組の直線部分の長手方向の長さの半分の長さにフロントキャビネットを折り畳むことができる。
【００１７】
本発明に係る表示装置は、上述したいずれかのフロントキャビネットと、該フロントキャビネットが装着された表示パネルとを備える。
本発明によれば、上述したようなフロントキャビネットを表示パネルに装着させた表示装置を実現できる。
【発明の効果】
【００１８】
本発明によれば、枠状のフロントキャビネットを折り畳む（折り曲げる）ことにより、フロントキャビネットの体積（梱包体積）を減少させることができる。よって、フロントキャビネットを梱包する際の梱包材料費や配送コストを削減できると共に梱包作業の簡素化も可能となる。
【図面の簡単な説明】
【００１９】
【図１】本発明に係るフロントキャビネットの斜視図である。
【図２】本発明に係るフロントキャビネットを変形させた場合の形状を示す斜視図である。
【図３】本発明に係る表示装置の斜視図である。
【図４】フロントキャビネットの異なる構成例を示す斜視図である。
【発明を実施するための形態】
【００２０】
以下に、本発明をその実施形態を示す図面に基づいて詳述する。
図１は本発明に係るフロントキャビネットの斜視図、図２は本発明に係るフロントキャビネットを変形させた場合の形状を示す斜視図、図３は本発明に係る表示装置の斜視図である。本実施形態の表示装置は、液晶ディスプレイ、プラズマディスプレイ又は有機ＥＬ（Electro Luminescence）ディスプレイ等であり、液晶パネル、プラズマパネル又は有機ＥＬパネル等の表示パネル２０にフロントキャビネット１０が装着されている。図３に示す表示装置は、フロントキャビネット１０が装着された表示パネル２０を起立状態でスタンド２１にて支持する構成であるが、本発明に係る表示装置は、このような構成に限らず、例えば、スタンド２１を備えずに壁等に取り付け可能に構成されてもよい。
【００２１】
本実施形態のフロントキャビネット１０は、矩形板状の表示パネル２０の周縁を囲う枠状に形成されており、表示パネル２０が嵌め込まれる開口部を有する。またフロントキャビネット１０は、表示パネル２０の表示面の周縁を覆う第１板部１０ａと、表示パネル２０の側面（表示面に連なる面）を覆う第２板部１０ｂとを有し、直線部分のそれぞれの断面がＬ字状になるように形成されている。
【００２２】
本実施形態のフロントキャビネット１０の第１板部１０ａには、対向する２つの直線部分、図１に示す例では、左側及び右側の直線部分の中央部に、直線部分の長手方向に伸縮可能に形成された伸縮部１１が設けられている。伸縮部１１は、例えば蛇腹状に形成されており、蛇腹部分が直線部分の長手方向に展開（伸張）されることにより引き伸ばされ、蛇腹部分が折り畳まれることによって縮められる。また、フロントキャビネット１０の第２板部１０ｂには、第１板部１０ａの伸縮部１１に連なる位置に、第２板部１０ｂの短手方向に切込部１２が設けられている。なお、図１では、左側の直線部分の切込部１２の図示を省略している。
【００２３】
更にフロントキャビネット１０（第１板部１０ａ及び第２板部１０ｂ）の４つの角部には、伸縮可能に形成された伸縮部１３ａ，１３ｂが設けられている。具体的には、第１板部１０ａの４つの角部には伸縮部１３ａが設けられており、第２板部１０ｂの４つの角部には伸縮部１３ｂが設けられている。伸縮部１３ａ，１３ｂは、例えば蛇腹状に形成されており、第１板部１０ａ及び第２板部１０ｂの直交する各直線部分をそれぞれ直線状に変形させる方向に展開（伸張）できるように構成されている。
【００２４】
上述した構成のフロントキャビネット１０は、左側の直線部分及び右側の直線部分に設けられた伸縮部１１及び切込部１２によって、表示パネル２０の表示面側（図１における手前側）に折り畳む（折り曲げる）ことが可能である。具体的には、２つの切込部１２がそれぞれ開放され、２つの伸縮部１１の切込部１２側の蛇腹がそれぞれ展開（伸張）されることにより、第１板部１０ａの上半分と下半分とが重なるようにフロントキャビネット１０を半分に折り畳むことができる。即ち、左側及び右側の直線部分にそれぞれ設けられた伸縮部１１及び切込部１２が折曲部を構成する。
図２Ａには、折曲部（伸縮部１１及び切込部１２）にて折り畳まれた状態のフロントキャビネット１０を示しており、図２Ａに示すように、フロントキャビネット１０をＵ字状に変形させることができる。
【００２５】
フロントキャビネット１０は、図２Ａに示す状態から、フロントキャビネット１０の４角の伸縮部１３ａ，１３ｂを展開することにより更に直線状に変形できる。具体的には、第１板部１０ａの４角の伸縮部１３ａの開口部側の蛇腹がそれぞれ展開（伸張）され、それに伴って第２板部１０ｂの４角の伸縮部１３ｂも適宜伸縮することにより、フロントキャビネット１０が直線状に変形される。図２Ｂには、直線状に変形されたフロントキャビネット１０を示し、この状態のフロントキャビネット１０は、図１に示す通常状態のフロントキャビネット１０よりも体積（梱包体積）が減少している。
フロントキャビネット１０は、図１に示す状態において、例えば、表示パネル２０の表示面側の大きさが６０ｃｍ×１２０ｃｍ（縦×横）程度に形成されており、板部１０ａ，１０ｂの幅が４ｃｍ程度に形成されているとする。この場合、図１に示したフロントキャビネット１０をそのまま梱包した場合の梱包体積は、２８８００ｃｍ3 （６０×１２０×４）である。一方、図２Ｂに示したフロントキャビネット１０は、左右方向の長さが１８０ｃｍ（３０＋１２０＋３０）となり、奥行き方向の長さが８ｃｍ（４＋４）となり、上下方向の長さが４ｃｍとなるので、梱包体積は、５７６０ｃｍ3 （１８０×８×４）となる。従って、図１に示すフロントキャビネット１０を図２Ｂに示す形状に変形させることによって、梱包体積を１／５に削減できる。このように、フロントキャビネット１０の梱包時の体積（梱包体積）を削減することによって、梱包材料費や配送コストを削減することができ、また、梱包作業及び搬送作業の効率化が可能となる。
【００２６】
フロントキャビネット１０は、図２Ｂに示すように梱包体積が削減された状態で、例えば工場から表示装置の組立場所まで配送される。そして、表示パネル２０に装着される際に、フロントキャビネット１０は、図２Ｂに示す直線状から、第１板部１０ａの伸縮部１３ａの蛇腹が折り畳まれ、それに伴って第２板部１０ｂの伸縮部１３ｂが適宜伸縮することによって、図２Ａに示すＵ字状に変形される。また、フロントキャビネット１０は、図２Ａに示すＵ字状から、第１板部１０ａの伸縮部１１の蛇腹が折り畳まれることによって、図１に示す枠状に変形される。このように、フロントキャビネット１０は、本来の使用形態である枠状に変形された（戻された）後、表示パネル２０に装着される。
【００２７】
フロントキャビネット１０は、１つの材料を用いて一体成形してもよい。例えば、ＰＥ（ポリエチレン）、ＰＰ（ポリプロピレン）、ＰＶＣ（塩化ビニル樹脂）、ＰＡ（ポリアミド）等の軟質プラスチックを用いて一体成形される。また、伸縮部１１，１３ａ，１３ｂ（蛇腹状に形成された部分）とその他の部分とを異なる材料で成形してもよい。例えば、伸縮部１１，１３ａ，１３ｂを上述したような軟質プラスチックで形成し、その他の部分を、ＡＢＳ樹脂及びＰＣ（ポリカーボネート）の合成物、ＡＢＳ樹脂及びＰＳ（ポリスチレン）の合成物等の硬質プラスチックで成形してもよい。
伸縮部１１，１３ａ，１３ｂ（蛇腹状に形成された部分）を軟質プラスチックで構成することにより、蛇腹部分の変形がより簡単なフロントキャビネット１０を形成でき、フロントキャビネット１０を折り畳む際の作業の効率化が可能となる。
【００２８】
なお、フロントキャビネット１０の、表示パネル２０と接触する側の面には通常多数のリブ及びボス等が設けられている。具体的には、図１に示すフロントキャビネット１０の第１板部１０ａの奥側の面、第２板部１０ｂの上側の直線部分の下側の面、第２板部１０ｂの下側の直線部分の上側の面、第２板部１０ｂの左側の直線部分の右側の面、及び第２板部１０ｂの右側の直線部分の左側の面に多数のリブ及びボス等が設けられている。
しかし、本実施形態のフロントキャビネット１０は、Ｕ字状及び直線状に変形された場合、リブ及びボスを有する面が外側に位置するので、リブ及びボスが邪魔にならない。またフロントキャビネット１０を変形させる（折り畳む）際にもリブ及びボスが邪魔にならないので、効率よくフロントキャビネット１０を折り畳むことができる。
【００２９】
上述のフロントキャビネット１０において、伸縮部１１，１３ａ，１３ｂは蛇腹状に形成された構成であったが、このような構成に限らない。伸縮部１１は、第１板部１０ａの直線部分の長手方向に伸縮可能な構成であればよく、伸縮部１３ａ，１３ｂは、直交する第１板部１０ａ及び第２板部１０ｂを直線上に変形できる構成であればよい。
【００３０】
上述のフロントキャビネット１０は、４角に伸縮部１３ａ，１３ｂが設けられた構成であった。フロントキャビネット１０は、図２Ａに示す状態から図２Ｂに示す状態に変形可能であればよく、このような構成に限らない。
図４はフロントキャビネットの異なる構成例を示す斜視図であり、図４には、直線状に変形されたフロントキャビネット３０を示す。図４に示すフロントキャビネット３０は、上述のフロントキャビネット１０の第１板部１０ａの４角に設けられた伸縮部１３ａの代わりに、切込部１４が設けられている。切込部１４は、表示パネル２０が装着される開口部（第１板部１０ａの内周縁）から第２板部１０ｂとの連結箇所（第１板部１０ａの外周縁）に亘って形成される。なお、フロントキャビネット３０のその他の構成は、フロントキャビネット１０と同様である。
【００３１】
フロントキャビネット３０においても、図２Ａに示すようなＵ字状への変形は、上述のフロントキャビネット１０と同様である。そして、Ｕ字状から直線状に変形される場合、フロントキャビネット３０は、図４に示すように、第１板部１０ａの４角の切込部１４がそれぞれ開放され、それに伴って第２板部１０ｂの４角の伸縮部１３ｂが適宜伸縮される。このような構成のフロントキャビネット３０でも、上述のフロントキャビネット１０と同様の変形が可能であり、梱包体積を１／５に削減できる。
【００３２】
上述した実施形態の表示装置は、例えば、外部から取得した映像データに基づいて表示パネル２０にて映像を表示する。なお、テレビジョン放送の放送信号を受信するチューナを備え、チューナにて受信した放送信号に基づいて表示パネル２０に映像を表示するテレビジョン受信機にも、本発明の表示装置を適用できる。
【００３３】
上述の実施形態のフロントキャビネット１０，３０では、左側及び右側の１組の直線部分に伸縮部１１及び切込部１２が設けられていた。この構成のほかに、フロントキャビネット１０，３０の上側及び下側の直線部分に伸縮部１１及び切込部１２を設けてもよい。この場合、フロントキャビネット１０，３０の第１板部１０ａの左半分と右半分とが重なるようにフロントキャビネット１０，３０が折り畳まれる。なお、上側及び下側の直線部分に伸縮部１１及び切込部１２が設けられるフロントキャビネット１０，３０においても、Ｕ字状から直線状への変形は、左側及び右側の直線部分に伸縮部１１及び切込部１２が設けられたフロントキャビネット１０，３０と同様に行うことができる。
【００３４】
今回開示された実施形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００３５】
１０，３０  フロントキャビネット
１１  伸縮部
１２  切込部
２０  表示パネル
１０ａ  第１板部
１０ｂ  第２板部
１３ａ，１３ｂ  伸縮部
１４  切込部
【図１】
2013198004.tif 000003
【図２】
2013198004.tif 000004
【図３】
2013198004.tif 000005
【図４】
2013198004.tif 000006